(57)【要約】  【課題】  設置場所を任意に選ぶことができ、小児用と成人用とで高さ調整が可能で、掃除が容易に行える男子用小便器を提供すること。  【解決手段】  放尿された小便を受け入れる小便受け１の下部にホース２を接続し、小便受け１の背面にスライド３を設け、枠体７にスライドガイド４を設け、スライド３をスライドガイド４に摺動可能に、かつ摩擦パッド５により係止可能に支持する。使用に際しては、枠体７を任意の場所に設置し、取っ手６を持って小便受け１の高さを自己に都合のよい位置に調整することにより、的外れが少なくなり、小便受け１を小さくできるので、掃除も容易に行える。【選択図】  図１
2006271746.tif 000002
【特許請求の範囲】
【請求項１】
放尿された小便を受け入れる小便受けと、前記小便受けの下部に接続されるホースと、前記小便受けの上下方向の高さ位置を調整可能に保持する保持手段と、前記保持手段を支持する枠体とを備えた男子用小便器。
【請求項２】
前記保持手段が、前記小便受けに設けられたスライドと、前記枠体に設けられて前記スライドを摺動可能に案内するスライドガイドとを備えたことを特徴とする請求項１に記載の男子用小便器。
【請求項３】
前記保持手段が、前記スライドを前記スライドガイドに対し係止可能に保持する係止手段を備えたことを特徴とする請求項２に記載の男子用小便器。
【請求項４】
前記枠体に前記枠体を固定するための取付部を備えたことを特徴とする請求項１ないし請求項３のいずれかに記載の男子用小便器。
【請求項５】
前記枠体の下部にキャスターを備えたことを特徴とする請求項１ないし請求項３のいずれかに記載の男子用小便器。
【発明の詳細な説明】
【技術分野】
【０００１】
本発明は、可動式の男子用小便器に関するものである。
【背景技術】
【０００２】
従来、男子が小用を足す場合、家庭などにおいて専用の小便器が設置されていない場合は、大小兼用の洋式便器でも和式便器でも立位で行うため、小便が便器に掛かったり、便器の外側へ飛び散ったりすることがあり、掃除に手間がかかるという問題があった。このため、洋式便器の後部に男子専用の小便器を回動可能に設けたものが提案されている（例えば、特許文献１、２参照）。
【特許文献１】特開２００２−０６１２６３号公報
【特許文献２】登録実用新案第３０５２３６４号公報
【発明の開示】
【発明が解決しようとする課題】
【０００３】
しかしながら、従来の男子専用小便器を付属させた便器は、小便器を付属させた分だけ便器全体の構造が大きくなり、設置場所に制約があるという問題があった。また、小便器の高さが一定であるため、小児と成人男子が共に利用する上で高さがうまく合わないという問題があった。さらに、構造上、小便器の掃除が面倒であるという問題があった。
【０００４】
本発明は、このような従来の問題を解決するためになされたもので、設置場所を任意に選ぶことができ、小児用と成人用とで高さ調整が可能で、掃除が容易に行える男子用小便器を提供することを目的とする。
【課題を解決するための手段】
【０００５】
上記目的を達成するため、本発明の男子用小便器は、放尿された小便を受け入れる小便受けと、前記小便受けの下部に接続されるホースと、前記小便受けの上下方向の高さ位置を調整可能に保持する保持手段と、前記保持手段を支持する枠体とを備えたものである。この構成により、例えば枠体を便所の壁面等に固定して、ホースの先端部を既存の便器または専用のタンク内に臨ませておき、男子が小用を足すときは、小便受けを自分の放尿位置に合わせて上下方向の高さ位置を調整することにより、小便の的外れがなく、小便の外部への飛散を防止できるとともに、小便受けの大きさを小さくすることができ、掃除を容易に行うことができる。排尿された小便は小便受けからホースを通って便器内またはタンク内に流出する。
【０００６】
また、本発明の男子用小便器は、前記保持手段が、前記小便受けに設けられたスライドと、前記枠体に設けられて前記スライドを摺動可能に案内するスライドガイドとを備えたことを特徴とする。この構成により、使用者の身長に合わせて、小便受けを使用者の放尿高さ位置まで容易に移動させることができる。
【０００７】
また、本発明の男子用小便器は、前記保持手段が、前記スライドを前記スライドガイドに対し係止可能に保持する係止手段を備えたことを特徴とする。この構成により、使用者の身長に合わせて、小便受けを使用者の放尿高さ位置まで移動させ、小便受けをその位置で保持しておくことができる。
【０００８】
また、本発明の男子用小便器は、前記枠体に前記枠体を固定するための取付部を備えたことを特徴とする。この構成により、枠体を壁面または床面に固定することができ、狭い場所でも設置場所を任意に選択することができる。
【０００９】
また、本発明の男子用小便器は、前記枠体の下部にキャスターを備えたことを特徴とする。この構成により、枠体を設置場所に合わせて容易に移動させることができ、狭い場所でも設置場所を任意に選択することができる。
【発明の効果】
【００１０】
本発明は、小便器を上下方向の高さ位置を調整可能に枠体に設け、この枠体を適当な場所に配置するようにしたので、設置場所を任意に選択することができ、小児用と成人用とで高さが調整可能なので、小便の的外れがなく、小便の外部への飛散を防止できるとともに、小便受けの大きさを小さくすることができ、掃除を容易に行えるという効果を有する。
【発明を実施するための最良の形態】
【００１１】
以下、本発明の実施の形態について、図面を用いて説明する。図１において、小便受け１は、軽量のプラスチック材料で一体に成形された漏斗状の尿受け部１ａとその後部から上方に立ち上がった尿当て部１ｂとからなる。尿受け部１ａの下部の排出口１ｃには、ホース２が接続されている。尿受け部１ａの内部および尿当て部１ｂの表面には、撥水性および抗菌性のコーティングを施すことが好ましい。ホース２はゴムまたは軟質樹脂製で、小便受け１と同様に、内部に撥水性および抗菌性のコーティングを施すことが好ましい。小便受け１は、その背後のスライド３を介して断面円形のスライドガイド４に上下方向に摺動可能かつ摩擦係止可能に支持されている。
【００１２】
図２は本発明の保持手段を構成するスライド３とスライドガイド４との結合構造を示している。小便受け１の尿当て部１ｂの裏面には、スライド３が一体に形成され、スライド３の上下方向の中心部には、スライドガイド４の直径よりも少し大きな直径で貫通するガイド穴３ａが形成され、このガイド穴３ａの内周面の全てまたは一部には、係止手段であるフェルトや不織布、ガラスファイバなどの摩擦パッド５が接着されている。したがって、このガイド穴３ａをスライドガイド４に嵌め込むと、スライド３はスライドガイド４に対して上下方向に摺動可能かつ摩擦パッド５により任意の位置で係止可能に保持される。小便受け１の一方の側面には、棒状の取っ手６がねじ込みにより取り付けられており、小便受け１を移動させる際に使用者がこの取っ手６を持って上下に動かす。取っ手６の形状は任意である。
【００１３】
摩擦パッド５の代わりの係止手段としては、図３（ａ）に示すように、スライド３の外側中間部にガイド穴３ａに達する切欠き部３ｂを設け、この切欠き部３ｄに板ばねからなる押圧ばね５Ａをねじ３ｃにより固定し、押圧ばね５Ａのばね圧によりスライドガイド４を押圧するようにしてもよい。これにより、小便受け１を上下方向の任意の位置に摩擦係止することができる。また、図３（ｂ）に示すように、ガイド穴３ａの内側に、板ばねを湾曲させた押圧ばね５Ａを、湾曲面をガイド穴３ａの中心に向けて、上端部をねじ３ｃより固定するようにしてもよい。この際、押圧ばね５Ａをガイド穴３ａに設けた溝３ｄの中に収めるようにすると、ガイド穴３ａとスライドガイド４との径差を小さくでき、がたつきを少なくすることができる。
【００１４】
図１において、スライドガイド４は、その上下の端部を枠体７の横棒７ａ、７ｂに固定され、横棒７ａ、７ｂの両端部は、それぞれ枠体７の縦棒７ｃ、７ｄに固定されている。小便受け１の両側は、枠体７の縦棒７ｃ、７ｄに当接してスライドガイド４上を移動する。縦棒７ｃ、７ｄの上端部および下端部には、取付具８が固定されている。この取付具８は、枠体７を便所等の壁面に固定するためのものである。この取付具８は、図４（ａ）に示すように、枠体７の縦棒７ｃ、７ｄの下部に嵌め込まれる嵌合穴８ａを有する脚部８ｂと、脚部８ｂの両側に設けられた取付穴８ｃを有する水平な取付片８ｄとからなる取付具８Ａでもよく、また、図４（ｂ）に示すように、枠体７の縦棒７ｃ、７ｄの下部に嵌め込まれる嵌合穴８ａを有する脚部８ｂと、脚部８ｂの両側に延びるアーム８ｅの先端部に設けられたキャスター８ｆを有する取付具８Ｂでもよい。
【００１５】
本実施の形態の男子用小便器は、以上のように構成されているので、例えば枠体７を便所の壁面または床面に固定して、ホース２の先端部を便所内の既設の洋式便器または和式便器の内部に導いておき、男子が小用を足すときは、取っ手６を持って小便受け１を自分の放尿高さ位置に合わせて移動させる。これにより、小用を足す際の的外れがなくなり、小便の外部への飛散を抑えることができるので、小便受け１を小さく設計することができ、掃除も容易に行うことができる。排尿された小便は、尿受け部１ａからホース２を通って洋式便器または和式便器内に流出する。
【００１６】
枠体７にキャスター８ｆを有する取付具８Ｂを設けた場合は、この小便器を便所内の開いたスペースに移動して使用することができる。例えば、和式便器の場合は、通常は和式便器の奥の方に枠体７を移動させておき、使用時の場合のみ、枠体７を和式便器の上に移動させて小用を足すことができる。洋式便器の場合は、洋式便器の脇の方に枠体７を移動させておき、使用時の場合のみ、枠体７を洋式便器の上に移動させて小用を足すことができる。
【００１７】
本実施の形態では、保持手段として丸穴を有するスライド３と、断面円形の棒状のスライドガイド４を１組だけ用いたが、保持手段を小便受け１の背面両側にそれぞれ２組設けてもよい。また、図５（ａ）に示すように、小便受け１の背面の両側にそれぞれ一体に形成されたＴ字形のスライド３Ａ、３Ｂと、このＴ字スライド３Ａ、３Ｂに摺動可能に係合するそれぞれＴ溝を有するスライドガイド４Ａ、４Ｂとを使用することもできる。この構成も小便受け１の背面中央に１組設けてもよい。これらの場合、Ｔ字スライドとＴ溝スライドガイドとの間を摩擦係止可能な嵌合状態としたり、そのいずれか一方に摩擦パッドや押圧ばね等の係止手段を設けておく。また、本実施の形態では、係止手段として摩擦パッド５または押圧ばね５Ａを用いたが、図５（ｂ）に示すように、小便受け１の背面両側にそれぞれスライドを兼ねた押圧ばね３Ｃ、３Ｄをねじにより固定して、この押圧ばね３Ｃ、３Ｄによりスライドガイド４Ｃ、４Ｄに対し摺動可能かつ係止可能に保持する構造としてもよい。
【００１８】
図６は本実施の形態の変更例を示している。取っ手６を側面に備えた小便受け１の背面には、図５（ａ）のようなＴ字形のスライド３Ａ、３Ｂが突設され、このスライド３Ａ、３Ｂが、枠体９の一部を構成するスライドガイド４Ａ、４Ｂに摺動可能かつ係止可能に係合している。枠体９は、前方の２本のスライドガイド４Ａ、４Ｂと、後方の２本の支柱９ａ、９ｂと、天板９ｃおよび底板９ｄとからなる。天板９ｃおよび底板９ｄは、スライドガイド４Ａ、４Ｂおよび支柱９ａ、９ｂの上端部および下端部に、それぞれ図示されないねじにより取り付けられている。スライドガイド４Ａ、４Ｂおよび支柱９ａ、９ｂの下端部には、それぞれキャスター１０が取り付けられている。底板９ｄの上には、尿タンク１１が載置され、尿タンク１１の回収口１１ａに小便受け１のホース２の先端部が挿入されている。この尿タンク１１には、尿タンク１１内からの異臭が回収口１１ａやホース２を通じて小便受け１から漏れないように、公知の手段が施されている。
【００１９】
この男子用小便器は、以上のような構成を備えることにより、既存の便器を備えていない場所でも、簡易小便器として任意に配置することができ、またその位置をキャスター１０により自由に移動させることができる。勿論、尿タンク１１を取り外して、ホース２の先端部を既存の便器内に導いて使用することもできる。
【００２０】
本実施の形態のさらに別の変更例としては、少し高価になるが、枠体７の上部または下部に減速装置付きの電動モータを配置し、その出力軸にプーリを固定してロープを巻回し、そのロープの両端部を小便受け１の上下にそれぞれ固定しておく。そして、回転方向を切り替え可能なモータスイッチを枠体７の上部に配置し、モータスイッチを押している間だけロープを巻き取るように構成しておく。このような男子用小便器の使用に際しては、使用者はモータスイッチを押して、便受け１の高さ位置を自分の放尿高さ位置に適した位置に合わせることができるので、取っ手６をもって小便受けを移動させる場合よりも操作が容易になり、不特定多数の人が使用する場合は衛生上の抵抗感も少なくなる。なお、モータスイッチを足踏みスイッチにしておけば、使用者は手を使わずに便受け１の位置を調整することができ、一層抵抗感を減じることができる。
【００２１】
なお、上記実施の形態において、小用を足した後の小便受け１は、その都度、水を流して洗浄しておくことが好ましい。例えば、近くに蛇口がある場合には、蛇口からホースを介して水を導き、小便受け１およびホース２の内部を洗浄しておく。または、容器内に水を溜めておき、その容器内の水により洗浄する。
【００２２】
また、上記実施の形態において、この男子用小便器全体を組み立て式にして、この男子用小便器を購入した者が自分で組み立てられるようにしてもよく、小便受けおよびホースを交換可能にしておくことにより、汚れた場合には新品のものと交換することができる。
【産業上の利用可能性】
【００２３】
以上のように、本発明に係る男子用小便器は、設置場所を任意に選択することができ、小児用と成人用とで上下方向の高さ位置が調整可能で、掃除が容易に行えるという効果を有し、家庭用として好適であるが、事務所や工場等にも設置可能であり、さらにはイベント開催場所における臨時の男子用小便器としても活用することができる。
【図面の簡単な説明】
【００２４】
【図１】本発明の実施の形態における男子用小便器の斜視図である。
【図２】本発明の実施の形態における保持手段および係止手段の斜視図である。
【図３】本発明の実施の形態における保持手段および係止手段の斜視図である。
【図４】本発明の実施の形態における取付具の斜視図である。
【図５】本発明の実施の形態における保持手段の別の例を示す斜視図である。
【図６】本発明の実施の形態の変更例を示す斜視図である。
【符号の説明】
【００２５】
１  小便受け
２  ホース
３  スライド
４  スライドガイド
５  摩擦パッド
５Ａ  押圧ばね
６  取っ手
７  枠体
８  取付具
９  枠体
１０  キャスター
１１  尿タンク
【図１】
2006271746.tif 000003
【図２】
2006271746.tif 000004
【図３】
2006271746.tif 000005
【図４】
2006271746.tif 000006
【図５】
2006271746.tif 000007
【図６】
2006271746.tif 000008